(57)【要約】      （修正有）【課題】現場の隔離室内での設置の自由度が高く、設置作業の負担が軽減でき、フィルタ交換が容易な負圧除じん装置を提供する。【解決手段】少なくともＨＥＰＡフィルタ１３等を含むフィルタ部を備えた集じん側ユニット２１と、ブロアーを備えた排気側ユニット２２と、集じん側ユニットと排気側ユニットとを直結させる非坐屈性ダクト５とから構成される。ここで、集じん側ユニットの吸気側の面が、ヒンジ部により開閉自在とされフィルタが交換可能とされる。また、集じん側ユニットの排気側に面に多孔を有する仕切調節層が設けられ、仕切調節層の層中央部が疎で層周辺部が密となるように孔が配設される。【選択図】図２
0003131026.tif 000002
【実用新案登録請求の範囲】
【請求項１】
少なくともＨＥＰＡフィルタ若しくはＵＬＰＡフィルタを含むフィルタ部を備えた集じん側ユニットと、ブロアーを備えた排気側ユニットと、前記集じん側ユニットと排気側ユニットとを直結させる非坐屈性ダクトとから構成されることを特徴とする負圧除じん装置。
【請求項２】
前記集じん側ユニットは、更に、排気側の面に多孔を有する仕切調節層が設けられることを特徴とする請求項１に記載の負圧除じん装置。
【請求項３】
前記集じん側ユニットの吸気側の面がヒンジ部により開閉自在とされ、前記フィルタ部が交換可能とされたことを特徴する請求項１又は２に記載の負圧除じん装置。
【請求項４】
前記集じん側ユニットの排気側に面に設けられた前記多孔を有する仕切調節層において、層中央部が疎で層周辺部が密となるように孔が配設されていることを特徴とする請求項２に記載の負圧除じん装置。
【考案の詳細な説明】
【技術分野】
【０００１】
本考案は、建築物解体等における作業現場内部を外部に比べ負圧に保ち、解体等において発生する飛散性アスベスト等を含む汚染空気や粉じんが外部に漏れるのを防ぐために設置される負圧除じん装置に関するものである。
【背景技術】
【０００２】
石綿（アスベスト）は、その特性から多くの建築物等に使用されてきたが、アスベストを吸引した際の人体に及ぼす有害性から、現在ではその使用を原則として全面禁止されている。しかしながら、禁止以前に施工された建築物等の解体や改修作業などの現場において、作業にたずさわる作業者が飛散性アスベスト等を含む粉じんを吸引する危険性があり、また、作業による飛散性アスベスト等の周辺環境への漏出が問題となっている。
そのためＨ１７年度以降の規則改正により、建築物解体等の隔離された作業場は、常時負圧を保ち、作業場の排気には高性能エアフィルタを備えた除じん装置を使用しなければならなくなっている。これは、除じん装置の設置により隔離した施工区画内を外気圧より低く保っておくことで、飛散性アスベスト等の粉じん飛散を防止するものである。この高性能エアフィルタは、例えばＨＥＰＡ（High Efficiency Particulate Air）フィルタやＵＬＰＡフィルタ（Ultra Low Penetration Air Filter）が用いられる。
【０００３】
従来の除じん装置の典型的な構成は、ボックスタイプの筐体に、一方の側面が吸気側（集塵側）となり、他方が排気側となるものである（特許文献１）。この吸気側には、例えば１次フィルタ／２次フィルタ／ＨＥＰＡフィルタの３層フィルタ等のフィルタ部が設けられている。また、排気側には吸引するためのブロアー部が設けられている。
従来の除じん装置は、図１−１に示すように一体型の負圧除じん装置であり、現場の隔離された隔離室９に設置される。一体型の負圧除じん装置１は、１次フィルタ１１と２次フィルタ１２とＨＥＰＡフィルタ１３が積層されたフィルタ部３とブロアー部４から構成されており、吸気側（集塵側）から汚染された空気を吸引し、排気側からポリダクト６を介してクリーンなエアを外部に放出する。
また、図１−２のように、一体型の負圧除じん装置の吸気側にフランジを設け、ワイヤー入りダクト５を装着して、一体型の負圧除じん装置を現場の隔離室９から離して駆動させることも可能である。
さらに、持ち運びが便利なように、一体型の負圧除じん装置の軽量化・小型化が図られており、搬送時に装置が２分割できるものもある。
【０００４】
【特許文献１】特開２００４−２６７９４８号公報
【考案の開示】
【考案が解決しようとする課題】
【０００５】
従来の一体型の負圧除じん装置は、フィルタ部とブロアー部がボックスタイプの筐体に収納されていたことから、以下の問題点があった。
すわなち、現場の隔離室内に一体型の負圧除じん装置が設置される場合は、その搬送作業が煩雑であり、特に、高所な現場（建屋２階など）に設置しなければならない場合は尚更であった。持ち運びが便利な軽量化・小型化された一体型の負圧除じん装置では、内装されているブロアーの性能から集じん効率に限界があり、隔離室の容量によっては使用が困難となっていた。
【０００６】
また、現場の隔離室の外に一体型の負圧除じん装置が設置される場合は、吸気側にフランジ部を設けて非坐屈性ダクトを装着して、ダクトを隔離室内に設置する。これは、高所な現場に設置する場合や天井から吊り下げる場合など設置場所の利便性は高い。
しかし、非坐屈性ダクトが非常に高価であるにもかかわらず、それが暴露してしまうという問題がある。ダクトが暴露された場合、再使用できず廃棄処分するのであるが、数１０ｍに及ぶダクトの廃棄処分の困難性が伴う。すなわち、ダクト自体を固化させることができないため廃棄処分が困難になるのである。
また、一体型の負圧除じん装置が隔離室外部に設置されているため、フィルタ交換がそのままでは不可能であり、フィルタ交換するために隔離室内に搬入する必要があるというフィルタ交換作業の煩雑さの問題がある。
【０００７】
上記問題点に鑑み、本考案は、現場の隔離室内での設置の自由度が高く、設置作業の負担が軽減でき、フィルタ交換が容易な負圧除じん装置を提供する。すなわち、フィルタ部とブロアー部とを分割し、それぞれ異なる筐体ユニットに収納して、ブロアー部を外部に設置でき、フィルタ部を隔離室内に設置しフィルタ交換をそのままで実施可能な負圧除じん装置を提供することを目的とする。
【課題を解決するための手段】
【０００８】
上記目的を達成するため、本考案の負圧除じん装置は、少なくともＨＥＰＡフィルタ若しくはＵＬＰＡフィルタを含むフィルタ部を備えた集じん側ユニットと、ブロアーを備えた排気側ユニットと、集じん側ユニットと排気側ユニットとを直結させる非坐屈性ダクトとから構成されることを特徴としたものである。
ここで、ＨＥＰＡ（High Efficiency Particulate Air）フィルタやＵＬＰＡフィルタ（Ultra Low Penetration Air Filter）は、高性能エアフィルタであり、特に、ＵＬＰＡフィルタは日本工業規格（JIS）Z4812規程の高性能フィルタに相当し、基準粒子径0.15μｍ（マイクロメートル）99.97％以上補集する性能を有する。また、ＵＬＰＡフィルタよりランク緩い基準としてＨＥＰＡフィルタがあり、既存の微細粉塵対策形集塵機の多くはＨＥＰＡフィルタである。
【０００９】
上記の構成とされることにより、フィルタ部とブロアー部とを分割でき、ブロアー部を外部に設置でき、またフィルタ部を隔離室内に設置しフィルタ交換を容易化図ることができる。フィルタの後段に非坐屈性ダクトを用いるため、非坐屈性ダクトは暴露することを回避でき、高価な非坐屈性ダクトの再利用が可能となる。すなわち、非坐屈性ダクトの使用寿命が向上する。
仮に、坐屈するダクトを使用するとした場合、閉塞してしまい、ダクト内部が負圧状態となってしまい、装置として用をなさないといった問題がある。
【００１０】
また、本考案の負圧除じん装置の集じん側ユニットの吸気側の面が、ヒンジ部により開閉自在とされ、フィルタが交換可能とされることが好ましい。
【００１１】
集じん側ユニットの吸気側の面がヒンジ部により開閉自在とされることで、隔離室内でフィルタ交換作業の容易化が更に図ることが可能となる。
【００１２】
また、本考案の負圧除じん装置の集じん側ユニットには、排気側の面に多孔を有する仕切調節層が設けられることが好ましい。
さらに、本考案の負圧除じん装置の集じん側ユニットの排気側の面に設けられた多孔を有する仕切調節層において、層中央部が疎で層周辺部が密となるように孔が配設されていることが特に好ましい。
【００１３】
負圧除じん装置の集じん側ユニットの排気側に面に設けられた多孔を有する仕切調節層において、層中央部が疎で層周辺部が密となるように孔が配設されることで、吸い込み箇所が散在化でき、集じん側ユニットから排出される空気が満遍なくスムーズにダクトに流れ込むこととなる。この結果、フィルタの寿命が長くなるといった利点を生じる。
【考案の効果】
【００１４】
本考案の負圧除じん装置は、現場の隔離室内での設置の自由度が高く、設置作業の負担が軽減できる。
また、フィルタ部が隔離室内に設置されるため、フィルタ交換が容易となるといった効果を有する。
【考案を実施するための最良の形態】
【００１５】
以下、本考案の実施例について、以下、図面を参照しながら詳細に説明していく。
【実施例１】
【００１６】
本考案の負圧除じん装置の概略構成図を図２に示す。本考案の負圧除じん装置は、図２に示すように分割型の負圧除じん装置であり、フィルタ部３とブロアー部４が分割されており、分割型の負圧除じん装置の集じん側ユニット２１と排気側ユニット２２で構成される。集じん側ユニット２１内のフィルタ部３は現場の隔離された隔離室９に設置され、排気側ユニット２２内のブロアー部４は外部に設置される。一体型の負圧除じん装置と同様に、フィルタ部３には、１次フィルタ１１と２次フィルタ１２とＨＥＰＡフィルタ１３が積層されている。フィルタ部３とブロアー部４は、ワイヤー入りダクト５で接続されている。
【００１７】
外部に設置されるブロアー部４の吸引力により、フィルタ部３の吸気側（集塵側）から汚染された空気を吸引する。フィルタ部３を通過したクリーンなエアは、ワイヤー入りダクト５、ポリダクト６を通り外部に放出される。
ここで、吸気側（集塵側）フランジ７と、排気側フランジ８は、エアがスムーズに流れるためのものである。
ワイヤー入りダクト５は、上述した従来の一体型の負圧除じん装置（図１−２を参照）と異なり、フィルタ部３を通過したクリーンなエアが通るため暴露することは無い。
【００１８】
次に、図３に、実施例１の負圧除じん装置の集じん側ユニットの排気側に面に設けられた多孔を有する仕切調節層の外観図を示す。集じん側ユニットの排気側に面に設けられた多孔を有する仕切調節層１６は、層中央部が疎で層周辺部が密となるように孔１７が配設されている。
負圧除じん装置の集じん側ユニットの排気側に、図３に示すような多孔を有する仕切調節層１６を設け、かつ、層中央部が疎で層周辺部が密となるように孔が配設されることで、吸い込み箇所が散在化でき、集じん側ユニットから排出される空気が満遍なくスムーズにダクトに流れ込むこととなる。
【００１９】
また、図４に、実施例１の負圧除じん装置の集じん側ユニットの概略構成図を示す。
分割型の負圧除じん装置の集じん側ユニット２１は、フィルタ部３と仕切調節層１６とフランジ７とから構成される。集じん側ユニット２１の吸気側（集塵側）の扉はヒンジ部１５により開閉自在とされている。フィルタ部３の各フィルタ（１１，１２，１３）は扉を開放して交換作業を行っている。
【産業上の利用可能性】
【００２０】
本考案によれば、現場の隔離室内での設置の自由度が高く、設置作業の負担が軽減でき、フィルタ交換が容易な負圧除じん装置を提供することができる。
【図面の簡単な説明】
【００２１】
【図１−１】従来の負圧除じん装置の概略構成図（１）
【図１−２】従来の負圧除じん装置の概略構成図（２）
【図２】本考案の負圧除じん装置の概略構成図
【図３】実施例１の負圧除じん装置の集じん側ユニットの排気側に面に設けられた多孔を有する仕切調節層の外観図
【図４】実施例１の負圧除じん装置の集じん側ユニットの概略構成図
【符号の説明】
【００２２】
１  一体型の負圧除じん装置
２  本考案に係る分割型の負圧除じん装置
２１  分割型の負圧除じん装置の集じん側ユニット
２２  分割型の負圧除じん装置の排気側ユニット
３  フィルタ部
４  ブロアー部
５  ワイヤー入りダクト
６  ポリダクト
７  吸気側（集塵側）フランジ
８  排気側フランジ
９  隔離室
１１  １次フィルタ
１２  ２次フィルタ
１３  ＨＥＰＡフィルタ
１５  ヒンジ部
１６  仕切調節層
１７  孔
【図１−１】
0003131026.tif 000003
【図１−２】
0003131026.tif 000004
【図２】
0003131026.tif 000005
【図３】
0003131026.tif 000006
【図４】
0003131026.tif 000007